(57)【要約】  【課題】回転子を確実に主軸部の係止面に係止出来、信頼性が高く、全高の低い圧縮機を提供する。  【解決手段】固定子および回転子１０４からなる電動要素と、電動要素によって駆動される圧縮要素とを収納し、圧縮要素は、主軸部１５１と偏芯部１５２とを有するクランクシャフト１５０と固定子を固定するとともに主軸部１５１を軸支する軸受部１５７とを形成したシリンダーブロック１５５とを備え、回転子１０４は略円筒形をなし永久磁石１６５を収納する本体部１６０と内径にメネジ部１７４を有するとともに本体部１６０の底面を支持するボス部１６１とを有し、クランクシャフト１５０の主軸部にネジ部１５３を設け、前記ボス部１６１を螺着することで固着力を高め、螺着部の長さが短くても確実に固着が出来るので信頼性が高く全高の低い圧縮機を提供することが出来る。【選択図】図１
2006138209.tif 000002
【特許請求の範囲】
【請求項１】
容器内に固定子および回転子からなる電動要素と、前記電動要素によって駆動される圧縮要素とを収納し、前記圧縮要素は、主軸部と偏芯部とを有するクランクシャフトと前記固定子を固定するとともに前記主軸部を軸支する軸受け部とを形成したシリンダーブロックとを備え、前記回転子は略円筒形をなし永久磁石を収納する本体部と内径にメネジ部を有するとともに前記本体部の底面を支持するボス部とを有し、前記クランクシャフトの主軸部にネジ部を設け、前記ボス部を螺着することで前記クランクシャフトに前記回転子を固定したことを特徴とした密閉型電動圧縮機。
【請求項２】
ボス部を主軸部のネジ部にダブルナット方式で螺着した請求項１記載の密閉型電動圧縮機。
【請求項３】
回転子の本体部を積層した珪素鋼板で形成するとともに、ボス部を非磁性体材料にて形成した請求項１記載の密閉型電動圧縮機。
【請求項４】
電動要素は固定子を構成する固定子鉄心の複数の突起部に絶縁体を介して巻線を巻回した突極集中巻き型である請求項１記載の密閉型電動圧縮機。
【請求項５】
回転子の本体部に収納された永久磁石は、希土類からなる請求項１から４のいずれか一項に記載の密閉型電動圧縮機。
【発明の詳細な説明】
【技術分野】
【０００１】
本発明は家庭用冷蔵庫等の冷凍サイクルに使用される密閉型電動圧縮機（以下、圧縮機という）に関するものである。
【背景技術】
【０００２】
近年、省エネルギーの観点から高効率化と、エコロジーの観点から高信頼性、長寿命化と、さらに省スペースの観点から小型化が求められている。そういった中、従来この種の圧縮機は、密閉容器内に集中巻の固定子および永久磁石を内蔵した回転子からなる電動要素と前記電動要素によって駆動される圧縮要素とを収納したものがある（例えば、特許文献１参照）。
【０００３】
以下、図面を参照しながら上記従来の圧縮機について説明する。
【０００４】
図９は、特許文献１に記載された従来例の密閉型電動圧縮機の断面図である。図９において密閉容器１内に冷凍機油２が貯留されており、電動要素３と圧縮要素６はともに密閉容器１内に収納されている。
【０００５】
電動要素３は、永久磁石（図示せず）を内蔵する回転子４と集中巻の固定子５よりなる。圧縮要素６は電動要素３の上方に構築され、電動要素３によって駆動されている。
【０００６】
次に、圧縮要素６の詳細を以下に説明する。
【０００７】
クランクシャフト７は、回転子４を係止した主軸部８および主軸部８に対して偏芯して形成された偏芯部９を有する。シリンダーブロック１０は、略円筒形の圧縮室１１を有するとともに、主軸部８を軸支する軸受部１２を有し、電動要素３の上方に形成されている。ピストン１３は圧縮室１１に嵌入され、偏芯部９と連結手段１４によって連結されている。
【０００８】
次に、電動要素３の詳細を以下に説明する。
【０００９】
集中巻の固定子５は、珪素鋼板を積層してなる固定子鉄心１５を介してボルト１６によりシリンダーブロック１０の脚部１６ａに固定されている。回転子４は、珪素鋼板を積層してなり、永久磁石（図示せず）を内蔵している。回転子４は、係止穴１７とボス部１８を有し、係止穴１７とボス部１８は略円筒形状をなしている。回転子４は、係止穴１７で主軸部８の係止面１９に係止され、ボス部１８に軸受部１２が延在している。
【００１０】
以上のように構成された圧縮機について、以下その動作を説明する。
【００１１】
集中巻の固定子５に通電がなされると、回転子４が回転し、回転子４の係止穴１７と主軸部８の係止面１９を介してクランクシャフト７を回転させる。クランクシャフト７の主軸部８は、軸受部１２の内周面と摺動しながら回転し、クランクシャフト７の偏芯部９の偏芯運動が連結手段１４を介してピストン１３を駆動させることでピストン１３は、圧縮室１１内を往復運動し、冷媒ガス（図示せず）を連続して圧縮する。
【特許文献１】特開２００３−１５８８４６号公報
【発明の開示】
【発明が解決しようとする課題】
【００１２】
しかしながら上記従来の構成では、ピストン１３の荷重は最終的に軸受部１２に作用するので軸受部の長さは荷重に耐える摺動長さが必要であり、圧縮荷重に対する軸受部１２の面圧を極端に大きくならないようにする必要がある。
【００１３】
一方、回転子４は通常係止穴１７で、クランクシャフト７の研磨した主軸部８の係止面１９に圧入または、焼嵌めによって固定されており、回転子４に輸送や起動停止による衝撃が加わった場合でも、確実に係止できるだけの固着力を得るために回転子４の係止穴１７の軸方向長さが必要であった。
【００１４】
これらの理由から、圧縮機の全高を低くして小型化するためにシリンダーブロック１０の脚部１６ａの長さを短くし、シリンダーブロック１０に対して相対的に回転子４と固定子５を上方に移動しようとしても、回転子４の係止穴１７の長さを短くすると回転子４を確実に係止することが出来なくなるので圧縮機の輸送や起動停止による衝撃に対する耐久性を確保できず小型化が出来ない課題を有していた。
【００１５】
本発明は、上記従来の課題を解決するもので、軸受部１２の必要長さを取ったうえで、回転子４を確実に主軸部８の係止面１９に係止出来、信頼性が高く、全高の低い圧縮機を提供することを目的とする。
【課題を解決するための手段】
【００１６】
上記課題を解決する為に、本発明の圧縮機は、固定子および回転子からなる電動要素と、電動要素によって駆動される圧縮要素とを収納し、圧縮要素は、主軸部と偏芯部とを有するクランクシャフトと固定子を固定するとともに主軸部を軸支する軸受け部とを形成したシリンダーブロックとを備え、回転子は略円筒形をなし永久磁石を収納する本体部と内径にメネジ部を有するとともに本体部の底面を支持するボス部とを有し、クランクシャフトの主軸部にネジ部を設け、前記ボス部を螺着することで回転子の係止穴の長さが短くても確実にクランクシャフトの主軸部に固着が出来る。
【発明の効果】
【００１７】
本発明の圧縮機は、回転子をクランクシャフトに螺着することで固着力を高め、螺着部の長さが短くても確実に固着が出来るので信頼性が高く全高の低い圧縮機を提供することが出来る。
【発明を実施するための最良の形態】
【００１８】
本発明の請求項１に記載の発明は密閉容器内に固定子および回転子からなる電動要素と、電動要素によって駆動される圧縮要素とを収納し、圧縮要素は、主軸部と偏芯部とを有するクランクシャフトと固定子を固定するとともに主軸部を軸支する軸受け部とを形成したシリンダーブロックとを備え、回転子は略円筒形をなし永久磁石を収納する本体部と内径にメネジ部を有するとともに本体部の底面を支持するボス部とを有し、クランクシャフトの主軸部にネジ部を設け、ボス部を螺着することでクランクシャフトに回転子を固定したもので、回転子をクランクシャフトに螺着することで固着力を高め、螺着部の長さが短くても確実に固着が出来るので信頼性が高く全高の低い圧縮機を提供することが出来る。
【００１９】
本発明の請求項２に記載の発明は、請求項１に記載の発明において、クランクシャフトの主軸部のネジ部に回転子のボス部を螺着後、ナットにより螺着したもので、さらに固着力が高まり、信頼性の高い圧縮機を提供することが出来る。
【００２０】
本発明の請求項３に記載の発明は、請求項１に記載の発明において、回転子の本体部を積層した珪素鋼板で形成するとともに、ボス部を非磁性体材料にて形成したもので、ボス部への磁束漏れを大幅に低減することができるため、電動要素および圧縮機の効率を高めることができる。
【００２１】
本発明の請求項４に記載の発明は、請求項１に記載の発明において固定子鉄心の複数の突極部に絶縁体を介して直接巻線を巻回した突極集中巻き型の固定子したもので、コイルエンド部を低くできるため、電動要素の小型及び全高の低い圧縮機を提供することが出来る。
【００２２】
本発明の請求項５に記載の発明は、請求項１から４のいずれか一項に記載の発明において、回転子に収納された永久磁石を希土類にしたもので、永久磁石をさらに小さくでき、回転子高さをさらに低くすることができるため、さらに全高の低い圧縮機を提供することが出来る。
【００２３】
以下、本発明による圧縮機の実施の形態について、図面を参照しながら説明する。なお、この実施の形態によってこの発明が限定されるものではない。
【００２４】
（実施の形態１）
図１は本発明の実施の形態１における密閉型電動圧縮機の断面図、図２は図１の要部拡大図である。図３は同実施の形態における集中巻固定子の平面図、図４は同実施の形態における集中巻固定子の外観図である。
【００２５】
以下図１から図４に基づいて本実施の形態について説明する。
【００２６】
図１から図５において、密閉容器１０１内には、冷凍機油１０２が貯留されている。電動要素１０３は、回転子１０４と突極集中巻の固定子１０５よりなる。圧縮要素１０６は、電動要素１０３の上方に構築され、電動要素１０３によって駆動されている。
【００２７】
電動要素１０３と圧縮要素１０６は、ともに密閉容器１０１内に収容され、スプリング１０７で支持されている。密閉容器１０１を構成するターミナル１０８は電気を通電するもので、リード線１０９を通して電動要素１０３に電気を供給する。
【００２８】
次に圧縮要素１０６の詳細を以下に説明する。
【００２９】
クランクシャフト１５０は、主軸部１５１と主軸部１５１に対して偏芯して形成された偏芯部１５２を有し、主軸部１５１にはネジ部１５３が形成されている。ネジ部１５３の外径は主軸部１５１の径より小さく、主軸部１５１のネジ部１５３の外径と主軸部１５１外径には段差１５４が形成されている。ネジ部１５３のネジ山方向は回転子１０４の運転方向に締め付け力が発生する方向となっている。
【００３０】
シリンダーブロック１５５は、略円筒形の圧縮室１５６を有するとともに、主軸部１５１を軸支する軸受部１５７と回転子１０４の上部に位置し、軸受部１５７に連結する支持部１５７ａを有し、電動要素１０３の上方に形成されている。
【００３１】
ピストン１５８は圧縮室１５６に嵌入され、偏芯部１５２と連結手段１５９によって連結されている。
【００３２】
次に電動要素１０３の詳細を以下に説明する。
【００３３】
固定子１０５は、回転子１０４とほぼ一定の隙間を保つように、シリンダーブロック１５５の脚部１５９ａにボルト１５９ｂで取り付けられている。固定子１０５を構成する固定子鉄心２５０は所定間隔をおいてディース部２５１が形成された円環状の鉄心コア２５２を積層されており、ディース部２５１に巻線２５３が巻かれている。連絡線２５４は各巻線間を１本で連絡している。巻線２５３は、固定子鉄心２５０の端面よりＨ１、Ｈ２の高さで、コイルエンド部である巻線終端２５６としてはみだしている。
【００３４】
回転子１０４は、積層した珪素鋼板から形成された本体部１６０と本体部１６０には希土類の磁石材料であるネオジウム磁石１６５を収納した収納穴１６６があり、本体部１６０は、軸受部１５７を延在させる凹部１６７を有している。また、収納穴１６６の下端開口部１６３からネオジウム磁石１６５が脱落することを防ぐとともに、底面を支持するボス部１６１が溶接にて固着されている。
【００３５】
ボス部１６１は本体部１６０の底面を支持する底板部１７０と、本体部１６０の凹部１６７内径に嵌合した嵌合部１７２とから構成され、嵌合部の内径はネジ部１５３に対応するメネジ部１７４を形成している。回転子１０４はボス部１６１のメネジ部１７４の段差１５４までネジ部１５３にねじ込むことでクランクシャフト１５０に螺着固定されている。
【００３６】
ここで回転子１０４の上端とシリンダーブロック１５５の支持部１５７ａとの隙間はＨであり、シリンダーブロック１５５の軸受部１５７の長さをＬ、シリンダーブロック１５５の支持部１５７ａの厚みをＤとする。
【００３７】
以上のように構成された圧縮機について、以下その動作、作用を説明する。
【００３８】
ターミナル１０８に電気が供給されるとリード線１０９を介して突極集中巻の固定子１０５に通電され、それによって発生する磁界により回転子１０４が任意の回転数で回転する。回転子１０４は、クランクシャフト１５０を回転させ偏芯部１５２の偏芯運動が連結手段１５９を介してピストン１５８を駆動することでピストン１５８は圧縮室１５６内を往復運動し、冷媒を連続して圧縮する。
【００３９】
ピストン１５８が冷媒を圧縮する際、ピストン１５８にかかる圧縮荷重は、連結手段１５９を介して偏芯部１５２に作用し、最終的に主軸部１５１と軸受部１５７によって受け止めている。
【００４０】
圧縮荷重に対して主軸部１５１と軸受部１５７にかかる面圧、すなわち単位面積当りに作用する荷重が極端に大きくならないようにしなければ主軸部１５１や軸受部１５７が摩耗してしまうので、圧縮荷重を受け止めるために必要な軸受部１５７の長さＬは必然的に決まってしまう。
【００４１】
本実施の形態においては、必要な軸受部１５７の長さＬを確保しているので、圧縮荷重に十分耐えることが出来、異常な摩耗は発生しない。
【００４２】
一方、圧縮機の高さを低くするために本実施の形態おいては、シリンダーブロック１５５の脚部１５９ａを短くして固定子１０５をボルト１５９ｂで脚部１５９ａに取り付けている。また、シリンダーブロック１５５の支持部１５７ａの厚みＤを小さくするとともに、回転子１０４の上端とシリンダーブロック１５５の支持部１５７ａとの隙間Ｈを小さくして回転子１０４を取り付けているので、圧縮機の高さを低くすることが出来ている。
【００４３】
軸受部１５７の長さＬを保ちながら、回転子１０４を上方に移動しているので回転子１０４の凹部１６７が深くなり、底面を支持するボス部１６１の長さが必然的に短くなっている。
【００４４】
しかしながら本実施の形態では、回転子１０４はボス部１６１のメネジ部１７４の段差１５４までネジ部１５３にねじ込むことでクランクシャフト１５０に螺着固定され、さらにはネジ部１５３のネジ山方向は運転時、締め付け力が発生する方向となっていることで、主軸部１５１に対して回転子１０４がずれたり、回転力により主軸部１５１から脱落するようなことがない。
【００４５】
そして、本体部１６０に内蔵される永久磁石は、磁力の強いネオジウム磁石１６５を使用することで磁石自体の大きさを小さくできるので、本体部１６０の積厚及び高さをより低くすることができた。従って信頼性が高く、全高の低い圧縮機を提供することができた。
【００４６】
固定子１０５は、突極部であるティース部２５１に絶縁体（図示せず）を介して集中的に巻線２５３を巻き付けたもので、各巻線間も１本の連絡線２５４で連絡しているので、鉄心コア２５２からの巻線２５３のはみ出しが少なく、コイルエンド部である巻線終端２５６の全高（寸法Ｈ１，Ｈ２）も低いものである。
【００４７】
従って、回転子１０４の本体部１６０の積厚を低くし、巻線終端２５６の全高も低いので、極めて全高の低い圧縮機を実現することができた。
【００４８】
さらに底面を支持するボス部１６１は非磁性体の真鍮材使用することで螺着固定への磁束漏れを大幅に低減することができるため、電動要素および圧縮機の効率を高めることができた。
【００４９】
（実施の形態２）
図５は本発明の実施の形態１における密閉型電動圧縮機の断面図、図６は図５の要部拡大図である。図７は同実施の形態における集中巻固定子の平面図、図８は同実施の形態における集中巻固定子の外観図である。
【００５０】
以下図５から図８に基づいて本実施の形態について説明する。
【００５１】
図５から図８において、密閉容器３０１内には、冷凍機油３０２が貯留されている。電動要素３０３は、回転子３０４と突極集中巻の固定子３０５よりなる。圧縮要素３０６は、電動要素３０３の上方に構築され、電動要素３０３によって駆動されている。
【００５２】
電動要素３０３と圧縮要素３０６は、ともに密閉容器１０１内に収容され、スプリング３０７で支持されている。密閉容器３０１を構成するターミナル３０８は電気を通電するもので、リード線３０９を通して電動要素３０３に電気を供給する。
【００５３】
次に圧縮要素３０６の詳細を以下に説明する。
【００５４】
クランクシャフト３５０は、主軸部３５１と主軸部３５１に対して偏芯して形成された偏芯部３５２を有し、主軸部３５１にはネジ部３５３が形成されている。ネジ部３５３の外径は主軸部３５１の径より小さく、主軸部３５１のネジ部３５３の外径と主軸部３５１外径には段差３５４が形成されている。ネジ部３５３のネジ山方向は回転子３０４の運転方向に締め付け力が発生する方向となっている。ボス部３６１の下方にはネジ部３５３のネジ山と同一方向のナット３７５があり、主軸部３５１と螺着し、ボス部３６１の下方端面にて締め付け力を受け止めている。
【００５５】
シリンダーブロック３５５は、略円筒形の圧縮室３５６を有するとともに、主軸部３５１を軸支する軸受部３５７と回転子３０４の上部に位置し、軸受部３５７に連結する支持部３５７ａを有し、電動要素３０３の上方に形成されている。
【００５６】
ピストン３５８は圧縮室３５６に嵌入され、偏芯部３５２と連結手段３５９によって連結されている。
【００５７】
次に電動要素３０３の詳細を以下に説明する。
【００５８】
固定子３０５は、回転子３０４とほぼ一定の隙間を保つように、シリンダーブロック３５５の脚部３５９ａにボルト３５９ｂで取り付けられている。
【００５９】
固定子３０５を構成する固定子鉄心４５０は所定間隔をおいてティース部４５１が形成された円環状の鉄心コア４５２を積層されており、ティース部４５１に巻線４５３が巻かれている。連絡線４５４は各巻線間を１本で連絡している。巻線４５３は、固定子鉄心４５０の端面よりＨ１、Ｈ２の高さで、コイルエンド部である巻線終端４５６としてはみだしている。
【００６０】
回転子３０４は、積層した珪素鋼板から形成された本体部３６０と本体部３６０には希土類の磁石材料であるネオジウム磁石３６５を収納した収納穴３６６があり、本体部３６０は、軸受部３５７を延在させる凹部３６７を有している。また、収納穴３６６の下端開口部３６３からネオジウム磁石３６５が脱落することを防ぐとともに、底面を支持するボス部３６１が溶接にて固着されている。
【００６１】
ボス部３６１は本体部３６０の底面を支持する底板部３７０と、本体部３６０の凹部３６７内径に嵌合した嵌合部３７２とから構成され、嵌合部の内径はネジ部３５３に対応するメネジ部３７４を形成している。回転子３０４はボス部３６１のメネジ部３７４の段差３５４までネジ部３５３にねじ込むことでクランクシャフト３５０に螺着固定されている。
【００６２】
ここで回転子３０４の上端とシリンダーブロック３５５の支持部３５７ａとの隙間はＨであり、シリンダーブロック３５５の軸受部３５７の長さをＬ、シリンダーブロック３５５の支持部３５７ａの厚みをＤとする。
【００６３】
以上のように構成された圧縮機について、以下その動作、作用を説明する。
【００６４】
ターミナル３０８に電気が供給されるとリード線３０９を介して突極集中巻の固定子３０５に通電され、それによって発生する磁界により回転子３０４が任意の回転数で回転する。回転子３０４は、クランクシャフト３５０を回転させ偏芯部３５２の偏芯運動が連結手段３５９を介してピストン３５８を駆動することでピストン３５８は圧縮室３５６内を往復運動し、冷媒を連続して圧縮する。
【００６５】
ピストン３５８が冷媒を圧縮する際、ピストン３５８にかかる圧縮荷重は、連結手段３５９を介して偏芯部３５２に作用し、最終的に主軸部３５１と軸受部３５７によって受け止めている。
【００６６】
圧縮荷重に対して主軸部３５１と軸受部３５７にかかる面圧、すなわち単位面積当りに作用する荷重が極端に大きくならないようにしなければ主軸部３５１や軸受部３５７が摩耗してしまうので、圧縮荷重を受け止めるために必要な軸受部３５７の長さＬは必然的に決まってしまう。
【００６７】
本実施の形態においては、必要な軸受部３５７の長さＬを確保しているので、圧縮荷重に十分耐えることが出来、異常な摩耗は発生しない。
【００６８】
一方、圧縮機の高さを低くするために本実施の形態おいては、シリンダーブロック３５５の脚部３５９ａを短くして固定子３０５をボルト３５９ｂで脚部３５９ａに取り付けている。また、シリンダーブロック３５５の支持部３５７ａの厚みＤを小さくするとともに、回転子３０４の上端とシリンダーブロック３５５の支持部３５７ａとの隙間Ｈを小さくして回転子３０４を取り付けているので、圧縮機の高さを低くすることが出来ている。軸受部３５７の長さＬを保ちながら、回転子３０４を上方に移動しているので回転子３０４の凹部３６７が深くなり、底面を支持するボス部３６１の長さが必然的に短くなっている。
【００６９】
しかしながら主軸部３５１のネジ部３５３に螺着固定しており、ネジ部３５３のネジ山方向は運転時、締め付け力が発生する方向となっていることとナット３７５を主軸部３５１のネジ部３５３に締め付けることによりダブルナット方式となり、底面を支持するボス部３６１とナット３７５間に強く押し合う力が生じ主軸部３５１のネジ部３５３に引張力が働き螺着固定力が増すことで、万が一の液バックやフォーミング時のトルク変動が大きい場合においても緩むことなく確実に固着が出来る。
【００７０】
そして、本体部３６０に内蔵される永久磁石は、磁力の強いネオジウム磁石３６５を使用することで磁石自体の大きさを小さくできるので、本体部３６０の積厚及び高さをより低くすることができた。従って信頼性が高く、全高の低い圧縮機を提供することができた。
【００７１】
固定子３０５は、突極部であるティース部４５１に絶縁体（図示せず）を介して集中的に巻線４５３を巻き付けたもので、各巻線間も１本の連絡線４５４で連絡しているので、鉄心コア４５２からの巻線４５３のはみ出しが少なく、コイルエンド部である巻線終端４５６の全高（寸法Ｈ１，Ｈ２）も低いものである。
【００７２】
従って、回転子３０４の本体部３６０の積厚を低くし、巻線終端４５６の全高も低いので、極めて全高の低い圧縮機を実現することができた。
【００７３】
さらに底面を支持するボス部３６１は非磁性体の真鍮材使用することで螺着固定への磁束漏れを大幅に低減することができるため、電動要素および圧縮機の効率を高めることができた。
【産業上の利用可能性】
【００７４】
以上のように、本発明にかかる圧縮機は、信頼性が高く、全高の低い圧縮機を提供でき、家庭用冷蔵庫を初めとして、除湿機やショーケース、自動販売機、空調機器等の冷凍サイクル用途にも適用できる。
【図面の簡単な説明】
【００７５】
【図１】本発明の実施の形態１における密閉型電動圧縮機の断面図
【図２】図１の要部拡大図
【図３】同実施の形態における集中巻固定子の平面図
【図４】同実施の形態における集中巻固定子の外観図
【図５】本発明の実施の形態２における密閉型電動圧縮機の断面図
【図６】図５の要部拡大図
【図７】同実施の形態における集中巻固定子の平面図
【図８】同実施の形態における集中巻固定子の外観図
【図９】従来例の密閉型電動圧縮機の断面図
【符号の説明】
【００７６】
１０１，３０１  密閉容器
１０３，３０３  電動要素
１０４，３０４  回転子
１０５，３０５  固定子
１０６，３０６  圧縮要素
１５０，３５０  クランクシャフト
１５１，３５１  主軸部
１５２，３５２  偏芯部
１５３，３５３  ネジ部
１６０，３６０  本体部
１６１，３６１  ボス部
１６５，３６５  永久磁石
２５１，４５１  突起部
２５３，４５３  巻線
３７５  ナット
【図１】
2006138209.tif 000003
【図２】
2006138209.tif 000004
【図３】
2006138209.tif 000005
【図４】
2006138209.tif 000006
【図５】
2006138209.tif 000007
【図６】
2006138209.tif 000008
【図７】
2006138209.tif 000009
【図８】
2006138209.tif 000010
【図９】
2006138209.tif 000011